(57)【要約】【課題】着信先の動作状態を発信元の携帯電話機の振動パターンにより認識する【解決手段】制御部１３は、発信時に無線網から送信されてくる着信先の状態情報を受信して、着信先の状態情報の種別（内容）の識別を音声解析部１８に指示し、音声解析部が識別した着信先の状態情報の種別に対応する振動パターンをメモリ１４に格納されている振動パターンテーブルから読み出し、着信先の状態情報の種別ごとに異なる振動パターンでバイブレータ１７を振動させる。【選択図】      図１
2005039589.tif 000002
【特許請求の範囲】
【請求項１】
無線網および無線基地局を介して着信先の電話装置と接続し、通話を行う携帯電話機において、発信時に前記無線網から送信されてくる前記着信先の状態情報を受信して前記着信先の状態情報の種別を識別し、識別した前記着信先の状態情報の種別に対応してバイブレータを制御するバイブレータ制御手段を有することを特徴とする着信先の状態確認方式。
【請求項２】
前記バイブレータ制御手段は、前記前記着信先の状態情報の種別に対応して異なる振動パターンにより前記バイブレータを駆動制御することを特徴とする請求項１記載の着信先の状態確認方式。
【請求項３】
前記着信先の状態情報は、前記着信先電話装置を呼び出し中である旨を示すリングバックトーンであることを特徴とする請求項１、２記載の着信先の状態確認方式。
【請求項４】
前記着信先の状態情報は、前記着信先電話装置が留守番電話設定中である旨を示す留守番メッセージであることを特徴とする請求項１、２記載の着信先の状態確認方式。
【請求項５】
前記着信先の状態情報は、前記着信先電話装置がサービス圏外または電源未投入である旨を示す圏外メッセージであることを特徴とする請求項１、２記載の着信先の状態確認方式。
【請求項６】
前記着信先の状態情報は、発信時にユーザが入力した着信先の電話番号が現在使用されていない旨を示す番号誤りメッセージであることを特徴とする請求項１、２記載の着信先の状態確認方式。
【請求項７】
無線網および無線基地局を介して着信先の電話装置と接続し、通話を行う携帯電話機において、前記携帯電話機は、送受信アンテナと、無線部と、レシーバと、サウンダと、表示部と、操作部と、バイブレータと、振動パターンテーブルを備えるメモリと、音声認識機能を備える音声解析部と、前記携帯電話機全体を制御する制御部とを有し、前記制御部は中央処理装置を備え、発信時に前記無線網から送信されてくる前記着信先の状態情報を受信して前記着信先の状態情報の種別の識別を前記音声解析部に指示し、前記音声解析部が識別した前記着信先の状態情報の種別に対応する振動パターンを前記メモリの前記振動パターンテーブルから読み出し、前記バイブレータを振動制御することを特徴とする着信先の状態確認方式。
【請求項８】
前記制御部は、前記音声解析部が識別した種別情報に基づき、留守番メッセージか、圏外メッセージか、番号誤りメッセージかを判断し、いずれのメッセージでもなかったときリングバックトーン信号であると判断することを特徴とする請求項７記載の着信先の状態確認方式。
【請求項９】
無線網および無線基地局を介して着信先の電話装置と接続し、通話を行う携帯電話機において、前記携帯電話機は、少なくともバイブレータと、振動パターンテーブルを備えるメモリと、音声認識機能を備える音声解析部と、前記携帯電話機全体を制御する中央制御装置を備える制御部とを有し、前記制御部は、発信時に前記無線網から送信されてくる前記着信先の状態情報を受信したとき振動モードの設定の有無を調べ、振動モードが設定されているとき、受信した前記着信先の状態情報を音声解析部へ出力して前記着信先の状態情報の解析を指示する第１ステップと、前記音声解析部が解析した前記着信先の状態情報の解析結果を基に、「留守番センターに転送されました」等の留守番メッセージか否かを判定する第２のステップと、第２のステップにおける判定結果が留守番メッセージであったときメモリに格納されている振動パターンテーブルから留守番メッセージに対して登録されている第２の振動パターを読み出しバイブレータを振動させる第２のステップと、第２のステップにおける判定結果が留守番メッセージでなかったとき「電波の届かない場所か電源が入っていません」等の圏外メッセージであるか否かを判定する第３のステップと、第３のステップにおける判定結果が圏外メッセージであったとき前記振動パターンテーブルから圏外メッセージに対して登録されている第３の振動パターを読み出しバイブレータを振動させる第４のステップと、第３のステップにおける判定結果が圏外メッセージでなかったとき「あなたのおかけになった電話番号は現在使用されておりません」等の番号誤りメッセージか否かを判定する第５のステップと、第５のステップにおける判定結果が番号誤りメッセージであったとき前記振動パターンテーブルから番号誤りメッセージに対して登録されている第４の振動パターを読み出しバイブレータを振動させる第６のステップと、第５のステップにおける判定結果が番号誤りメッセージでなかったとき前記振動パターンテーブルからリングバックトーンに対応して登録されている第１の振動パターンを読み出しバイブレータを振動させる第７のステップとを有することを特徴とする着信先の状態確認方法。
【請求項１０】
無線網および無線基地局を介して着信先の電話装置と接続し、通話を行う携帯電話機において、前記携帯電話機は、少なくともバイブレータと、振動パターンテーブルを備えるメモリと、音声認識機能を備える音声解析部と、前記携帯電話機全体を制御する中央制御装置を備える制御部とを有し、前記制御部は、発信時に前記無線網から送信されてくる前記着信先の状態情報を受信したとき振動モードの設定の有無を調べ、振動モードが設定されているとき、受信した前記着信先の状態情報を音声解析部へ出力して前記着信先の状態情報の解析を指示する第１ステップと、前記音声解析部が解析した前記着信先の状態情報の解析結果を基に、「留守番センターに転送されました」等の留守番メッセージか否かを判定する第２のステップと、第２のステップにおける判定結果が留守番メッセージであったときメモリに格納されている振動パターンテーブルから留守番メッセージに対して登録されている第２の振動パターを読み出しバイブレータを振動させる第２のステップと、第２のステップにおける判定結果が留守番メッセージでなかったとき「電波の届かない場所か電源が入っていません」等の圏外メッセージであるか否かを判定する第３のステップと、第３のステップにおける判定結果が圏外メッセージであったとき前記振動パターンテーブルから圏外メッセージに対して登録されている第３の振動パターを読み出しバイブレータを振動させる第４のステップと、第３のステップにおける判定結果が圏外メッセージでなかったとき「あなたのおかけになった電話番号は現在使用されておりません」等の番号誤りメッセージか否かを判定する第５のステップと、第５のステップにおける判定結果が番号誤りメッセージであったとき前記振動パターンテーブルから番号誤りメッセージに対して登録されている第４の振動パターを読み出しバイブレータを振動させる第６のステップと、第５のステップにおける判定結果が番号誤りメッセージでなかったとき前記振動パターンテーブルからリングバックトーンに対応して登録されている第１の振動パターンを読み出しバイブレータを振動させる第７のステップを中央制御装置に実行させるプログラム。
【発明の詳細な説明】
【技術分野】
【０００１】
本発明は着信先の状態確認方式、確認方法およびそのプログラムに関し、特に着信先の動作状態を発信元の携帯電話機の振動パターンにより認識することができるバイブレータ制御に関する。
【背景技術】
【０００２】
従来、着信先の電話番号を入力し所定の発信操作を行ったとき、着信先の状態がネットワーク側から発信側へ送信され、発信者は携帯電話機のレシーバからその内容を聴取することにより、着信先の現在の状態を知ることができ、また表示装置の表示内容からも着信先の現在の状態を知ることができる。
【０００３】
レシーバから聴取する場合、電波状態が悪い状況下では聞き取り難く、着信先を呼び出し中か、着信先が応答したか、確認し難いことがある。そのため、着信先が応答しているにも拘らず気付かず通話料金が無駄になることがあった。
【０００４】
また、異なる着信先に対して発信する場合、発信操作後その都度携帯電話機（レシーバ）を耳元へ近付けなければならず、操作性が十分ではなかった。
【０００５】
表示装置の表示内容による着信先の状態確認は、表示画面のバックライト設定よっては、バックライトが消灯し表示内容が確認し難いなどの問題があった。従って、レシーバおよび表示による着信先の状態確認以外の確認方法が要望される。
【０００６】
例えば、無線通信機にトーンを検出するトーン検出手段を設け、操作部によりダイヤルした番号を無線部を介して無線回線に送出し通信相手を呼び出しすると共に、呼び出しに対する交換機からのリングバックトーン信号をトーン検出手段が検出すると、表示手段および／または振動手段によりその旨を表示し、必要に応じて呼び出しを停止する無線通信機が特開平１１−２８５０６５号公報に開示されている。
【０００７】
上記特開平１１−２８５０６５号公報に開示されている無線通信機は、発信側がデータを送信すべく着信側の電話番号をダイヤルすると、交換機とのやり取りが行われた後、着信側が接続可能ならば着信側との接続を行い、接続が終了すると発信側が送信したデータが着信側で受信され記憶される。
【０００８】
その後着信側を呼び出す呼び出し音がリングバックトーンとして発信側に返送され、このリングバックトーンをトーン検出器で検出すると、発信側の発光ダイオードやＬＣＤやバイブレータを用いて発信者に着信側と回線が接続されデータが送信できた旨を表示、通知する。リングバックトーンが検出できないときは表示、通知は行わない。
【０００９】
ここで発信者が着信側との回線を切断すればこの一連の動作が完了し、切断しなければ繰り返し送信されてくるリングバックトーンに対して上記動作を繰り返す。
【００１０】
また、リングバックトーンを一度受信するだけで着信側との回線を切断してもよい場合に限り、トーン検出部においてリングバックトーン信号を検出すると制御部が自動的に着信側との回線を切断することもできる。
【００１１】
【特許文献１】特開平１１−２８５０６５号公報（第２−４頁、図１  段落番号００１３〜段落番号００１６）。
【発明の開示】
【発明が解決しようとする課題】
【００１２】
上述した従来の無線通信機は、着信先を呼び出し中である場合に返送されるリングバットーンを検出してバイブレータを信号させるので、発信元（発信者）はリングバックトーンを聴取するためにレシーバに耳を近づける面倒な操作は回避することはできるものの、呼び出し中以外の着信先の状態、すなわち、留守番モード設定、圏外、電話番号の誤り等着信先の状態を振動モードにより確認することができないという問題がある。 
本発明の目的は、呼び出し中、留守番モード設定中、圏外、電話番号の誤り等着信先の動作状態を発信元の携帯電話機の振動パターンにより認識することができる着信先の状態確認方式、確認方法およびそのプログラムを提供することにある。
【課題を解決するための手段】
【００１３】
本発明の着信先の状態確認方式は、無線網および無線基地局を介して着信先の電話装置と接続し、通話を行う携帯電話機において、発信時に前記無線網から送信されてくる前記着信先の状態情報を受信して前記着信先の状態情報の種別を識別し、識別した前記着信先の状態情報の種別に対応してバイブレータを制御するバイブレータ制御手段を有することを特徴とする。
【００１４】
また、前記バイブレータ制御手段は、前記前記着信先の状態情報の種別に対応して異なる振動パターンにより前記バイブレータを駆動制御することを特徴とする。
【００１５】
また、前記着信先の状態情報は、前記着信先電話装置を呼び出し中である旨を示すリングバックトーンであることを特徴とする。
【００１６】
また、前記着信先の状態情報は、前記着信先電話装置が留守番電話設定中である旨を示す留守番メッセージであることを特徴とする。
【００１７】
また、前記着信先の状態情報は、前記着信先電話装置がサービス圏外または電源未投入である旨を示す圏外メッセージであることを特徴とする。
【００１８】
また、前記着信先の状態情報は、発信時にユーザが入力した着信先の電話番号が現在使用されていない旨を示す番号誤りメッセージであることを特徴とする。
【００１９】
また、無線網および無線基地局を介して着信先の電話装置と接続し、通話を行う携帯電話機において、前記携帯電話機は、送受信アンテナと、無線部と、レシーバと、サウンダと、表示部と、操作部と、バイブレータと、振動パターンテーブルを備えるメモリと、音声認識機能を備える音声解析部と、前記携帯電話機全体を制御する制御部とを有し、前記制御部は中央処理装置を備え、発信時に前記無線網から送信されてくる前記着信先の状態情報を受信して前記着信先の状態情報の種別の識別を前記音声解析部に指示し、前記音声解析部が識別した前記着信先の状態情報の種別に対応する振動パターンを前記メモリの前記振動パターンテーブルから読み出し、前記バイブレータを振動制御することを特徴とする。
【００２０】
また、前記制御部は、前記音声解析部が識別した種別情報に基づき、留守番メッセージか、圏外メッセージか、番号誤りメッセージかを判断し、いずれのメッセージでもなかったときリングバックトーン信号であると判断することを特徴とする。
【００２１】
本発明の着信先の状態確認方法は、無線網および無線基地局を介して着信先の電話装置と接続し、通話を行う携帯電話機において、前記携帯電話機は、少なくともバイブレータと、振動パターンテーブルを備えるメモリと、音声認識機能を備える音声解析部と、前記携帯電話機全体を制御する中央制御装置を備える制御部とを有し、前記制御部は、発信時に前記無線網から送信されてくる前記着信先の状態情報を受信したとき振動モードの設定の有無を調べ、振動モードが設定されているとき、受信した前記着信先の状態情報を音声解析部へ出力して前記着信先の状態情報の解析を指示する第１ステップと、前記音声解析部が解析した前記着信先の状態情報の解析結果を基に、「留守番センターに転送されました」等の留守番メッセージか否かを判定する第２のステップと、第２のステップにおける判定結果が留守番メッセージであったときメモリに格納されている振動パターンテーブルから留守番メッセージに対して登録されている第２の振動パターを読み出しバイブレータを振動させる第２のステップと、第２のステップにおける判定結果が留守番メッセージでなかったとき「電波の届かない場所か電源が入っていません」等の圏外メッセージであるか否かを判定する第３のステップと、第３のステップにおける判定結果が圏外メッセージであったとき前記振動パターンテーブルから圏外メッセージに対して登録されている第３の振動パターを読み出しバイブレータを振動させる第４のステップと、第３のステップにおける判定結果が圏外メッセージでなかったとき「あなたのおかけになった電話番号は現在使用されておりません」等の番号誤りメッセージか否かを判定する第５のステップと、第５のステップにおける判定結果が番号誤りメッセージであったとき前記振動パターンテーブルから番号誤りメッセージに対して登録されている第４の振動パターを読み出しバイブレータを振動させる第６のステップと、第５のステップにおける判定結果が番号誤りメッセージでなかったとき前記振動パターンテーブルからリングバックトーンに対応して登録されている第１の振動パターンを読み出しバイブレータを振動させる第７のステップとを有することを特徴とする。
【００２２】
本発明の着信先の状態確認プログラムは、無線網および無線基地局を介して着信先の電話装置と接続し、通話を行う携帯電話機において、前記携帯電話機は、少なくともバイブレータと、振動パターンテーブルを備えるメモリと、音声認識機能を備える音声解析部と、前記携帯電話機全体を制御する中央制御装置を備える制御部とを有し、前記制御部は、発信時に前記無線網から送信されてくる前記着信先の状態情報を受信したとき振動モードの設定の有無を調べ、振動モードが設定されているとき、受信した前記着信先の状態情報を音声解析部へ出力して前記着信先の状態情報の解析を指示する第１ステップと、前記音声解析部が解析した前記着信先の状態情報の解析結果を基に、「留守番センターに転送されました」等の留守番メッセージか否かを判定する第２のステップと、第２のステップにおける判定結果が留守番メッセージであったときメモリに格納されている振動パターンテーブルから留守番メッセージに対して登録されている第２の振動パターを読み出しバイブレータを振動させる第２のステップと、第２のステップにおける判定結果が留守番メッセージでなかったとき「電波の届かない場所か電源が入っていません」等の圏外メッセージであるか否かを判定する第３のステップと、第３のステップにおける判定結果が圏外メッセージであったとき前記振動パターンテーブルから圏外メッセージに対して登録されている第３の振動パターを読み出しバイブレータを振動させる第４のステップと、第３のステップにおける判定結果が圏外メッセージでなかったとき「あなたのおかけになった電話番号は現在使用されておりません」等の番号誤りメッセージか否かを判定する第５のステップと、第５のステップにおける判定結果が番号誤りメッセージであったとき前記振動パターンテーブルから番号誤りメッセージに対して登録されている第４の振動パターを読み出しバイブレータを振動させる第６のステップと、第５のステップにおける判定結果が番号誤りメッセージでなかったとき前記振動パターンテーブルからリングバックトーンに対応して登録されている第１の振動パターンを読み出しバイブレータを振動させる第７のステップを中央制御装置に実行させる。
【００２３】
本発明によれば、発信時に無線網側から送られてくる着信先の状態情報を識別し、識別した着信先の状態種別に対応して異なる信号パターンでバイブレータを信号させることにより発信元のユーザはレシーバを耳にあてることなく、バイブレータの振動で、着信先を呼び出し中か、着信先が留守番電話モード設定中か、圏外か、発信時に入力した着信先の電話番号の誤りかを知ることができる。
【発明の効果】
【００２４】
以上説明したように本発明によれば、発信時に無線網側から送られてくる着信先の状態情報を音声認識機能を備える音声解析部により識別し、識別した着信先の状態種別に対応する振動パターンをメモリに格納されている振動パターンテーブルから読み出し、読み出した振動パターンでバイブレータを振動させるので、発信者はレシーバを耳に近づけて着信先の応答を待つ必要がなくなり、ユーザの操作性が向上する。
【００２５】
また、レシーバを耳に近づける必要がないので、その間例えば他の仕事を行うことができる。
【００２６】
また、着信先の応答をリングバックトーンに対応するバイブレータの振動の停止により確認できるので、着信先の応答を見逃すことなく直ちに通話を開始することができ、応答を知らずに無駄な通話料金が課金されることがない。
【発明を実施するための最良の形態】
【００２７】
次に、本発明の実施例について図面を参照して説明する。
図１は本発明の携帯電話機の主要構成を示すブロック図、図２は着信先の状態に対応するレシーバ出力とバイブレータの振動パターンを示す振動パターンテーブル、図３は着信先の状態に対応するバイブレータの制御処理を示すフローチャートである。
図１を参照すると、携帯電話機１０は、送受信アンテナ１１と、無線部１２と、制御部１３と、メモリ１４と、表示部１５と、操作部１６と、バイブレータ１７と、音声解析部１８と、レシーバ１９と、サウンダ２０とから構成されている。
音声解析部１８は、発信時にネットワーク側へダイヤルデータを送出後、ネットワーク側から送られてくる着信先の状態、すなわち着信先を呼び出し中である旨を示すリングバックトーン、着信先が留守番電話設定中で留守番センターへ接続する旨の留守番メッセージ、着信先のユーザが電波の届かない所へ移動しているか電源が入っていなくて着信できない旨の圏外メッセージ、発信者が入力した着信先の電話番号が現在使用されていない旨を示す番号誤りメッセージを受信し、メッセージの内容を解析しメッセージ種別を検出し、制御部１３へ通知する。
メッセージ種別の解析は、例えば公知の音声認識技術により実現可能であり、リングバックトーンの認識は、留守番メッセージ、圏外メッセージ、番号誤りメッセージ以外の場合にリングバックトーンであるとする。
制御部１３は中央処理装置を備え、図３に示す振動パターンテーブルを参照し、音声解析部１８から通知されたメッセージ種別に対応する振動パターンでバイブレータ１７を振動させる。
また、着信先を呼び出し中は対応する振動パターンでバイブレータ１７を継続して振動させ、着信先の応答を検出するとバイブレータ１７の振動を停止する。
【００２８】
図３に示す振動パターンテーブルには、着信先の状態が、着信先を呼び出し中の場合は、レシーバ１９の出力はリングバックトーンが、バイブレータの振動パターンには振動パターン１が登録されている。
着信先が留守番電話設定中の場合は、レシーバ９の出力は留守番メッセージが、バイブレータの振動パターンには振動パターン２が登録されている。
着信先が圏外へ移動中または電源未投入の場合は、レシーバ９の出力は圏外メッセージが、バイブレータの振動には振動パターン３が登録されている。
【００２９】
電話番号を誤って入力した場合は、レシーバ９の出力は番号誤りメッセージが、バイブレータの振動には振動パターン４が登録されている。
【００３０】
振動パターン１〜４は、振動周期が異なり、この振動周期はユーザが任意に設定および変更が可能である。
【００３１】
次に図３に図１、図２を併せて参照し、着信先の状態に対応するバイブレータの振動制御処理について説明する。
【００３２】
発信者が携帯電話機１０の操作部１６から着信先の電話番号を入力し、所定の発信操作を行うと、無線部１２を介して送受信アンテナ１１からネットワーク側（図示せず）へ着信先の電話番号が送信され、ネットワーク側で着信先の状態を識別し現在の着信先の状態情報を発信元のである携帯電話機１０へ返送する。
【００３３】
携帯電話機１０は、無線部が送受信アンテナ１１を介して着信先の状態情報を受信し（図３のステップＳ１０１）、制御部１３へ受信した着信先の状態情報を送出する。
【００３４】
制御部１３は、現在振動モードがユーザにより設定されているか否かを調べ、振動モードが設定されていない場合は、バイブレータの振動制御処理を終了する。振動モードが設定されている場合は、着信先の状態情報を音声解析部１８へ出力し着信先の状態情報の解析を指示する（Ｓ１０２）。
【００３５】
音声解析部１８は、着信先の状態情報を音声認識機能により解析し、解析結果を制御部１３へ通知する。
【００３６】
制御部１３は、音声解析部１８から着信先の状態情報の解析結果を受け取り、解析結果が留守番メッセージか否かを判定し（Ｓ１０４）、判定結果が留守番メッセージであるときは、図２に示す振動パターンテーブルを参照し、「留守番」の着信先状態に対応して設定されているバイブレータの振動パターン２のデータを読み出し、バイブレータ１７を駆動する（Ｓ１０５）。
このとき図２に示すように、レシーバ１９には例えば「留守番センターに転送されました」等の留守番メッセージが出力され、また表示部１５に表示される。
【００３７】
制御部１３は、ステップＳ１０４における判定結果が留守番メッセージでなかったときは、圏外メッセージか否かを判定し（Ｓ１０６）、判定結果が圏外メッセージであるときは、図２に示す振動パターンテーブルを参照し、「圏外」の着信先状態に対応して設定されているバイブレータの振動パターン３のデータを読み出し、バイブレータ１７を駆動する（Ｓ１０７）。
【００３８】
このとき図２に示すように、レシーバ１９には例えば「電波の届かない場所か電源が入っていません」等の留守番メッセージが出力され、また表示部１５に表示される。
【００３９】
制御部１３は、ステップＳ１０６における判定結果が圏外メッセージでなかったときは、番号誤りメッセージか否かを判定し（Ｓ１０８）、判定結果が番号誤りメッセージであるときは、図２に示す振動パターンテーブルを参照し、「電話番号誤り」の着信先状態に対応して設定されているバイブレータの振動パターン４のデータを読み出し、バイブレータ１７を駆動する（Ｓ１０９）。
【００４０】
このとき図２に示すように、レシーバ１９には例えば「あなたのおかけになった電話番号は現在使用されていません」等の番号誤りメッセージが出力され、また表示部１５に表示される。
【００４１】
制御部１３は、ステップＳ１０８における判定結果が番号誤りメッセージでなかったとき、リングバックトーンと判定し（Ｓ１１０）、図２に示す振動パターンテーブルを参照し、「呼び出す中」の着信先状態に対応して設定されているバイブレータの振動パターン１のデータを読み出し、バイブレータ１７を駆動する（Ｓ１１１）。
このとき図２に示すように、レシーバ１９には例えば「リングバックトーンが出力され、また表示部１５に呼び出し中を示す所定の文字または絵文字が表示される。
このとき着信先が応答（Ｓ１１２）すると、リングバックトーンに対応する振動パターン１で振動中のバイブレータが停止（Ｓ１１３）し、通話状態へ遷移する。
このようにバイブレータ１７は、着信先の状態に対応して異なる振動パターンにより振動するので、発信者はバイブレータの振動により着信側の状態を認識でき、また振動が停止することにより、発信者は着信先の応答を認識できる。
【図面の簡単な説明】
【００４２】
【図１】本発明の携帯電話機の主要構成を示すブロック図である。
【図２】本発明着信先の状態に対応するレシーバ出力とバイブレータの振動パターンを示す振動パターンテーブルである。
【図３】従来の着信先の状態に対応するバイブレータの制御処理を示すフローチャートである。
【符号の説明】
【００４３】
１０    携帯電話機
１１    送受信アンテナ
１２    無線部
１３    制御部
１４    メモリ
１５    表示部
１６    操作部
１７    バイブレータ
１８    音声解析部
１９    レシーバ
２０    サウンダ
【図１】
2005039589.tif 000003
【図２】
2005039589.tif 000004
【図３】
2005039589.tif 000005